(57)【特許請求の範囲】
【請求項１】
２種類のカードが着脱自在に挿入されるメモリーカード用コネクタであって、
自由端両側に２種類の前記カードと接触する接触部を有するとともにほぼ中央部付近に係合部を有する板状片と、２種類の前記カードが挿入される嵌合口を有すると共に２種類の第１及び第２コンタクトが前記カードが挿入される前には負荷が掛かることがない状態に配置されるコンタクト挿入部を有し、前記板状片の係合部と係合する係止部を設けたハウジングと、このハウジングに保持・固定されると共にカードとの接触部とハウジングに固定される固定部と基板に接続する接続部とを備える２種類の第１及び第２コンタクトと、カード挿入方向側に配置される前記第２コンタクトの接触部を保護する櫛歯状のガイド溝を有し、幅方向の一方側に前記板状片が装着される装着部を有するとともに板状片の係合部が入る逃げ溝を設けたスライダーとを備え、前記板状片には自由端両側の接触部近傍に受け部を設け、前記スライダーには前記受け部を押圧する押圧部を設け、一方のカードが挿入されると前記板状片のどちらか一方の接触部に接触し、前記カードが前記板状片の接触部に接触すると、前記板状片の受け部を支点にして、板状片の係合部が前記接触部の押圧方向と反対方向へ変位することにより前記ハウジングの係止部から外れ、前記スライダーが前記ハウジングの底板上を移動可能に装着されるメモリーカード用コネクタ。
【請求項２】
前記板状片の各接触部は、カードの種類の厚さ及び幅寸法に応じて接触位置をずらしたことを特徴とすると請求項１記載のメモリーカード用コネクタ。
【発明の詳細な説明】
【０００１】
【発明の属する技術分野】
本発明は、タイプの異なるメモリーカードを同一のコネクタに選択的に挿入して情報機器を操作する場合のメモリカード用コネクタに関するものであって、特にコンタクトの保護機構に関するものである。
【０００２】
【従来の技術】
従来は、種々の情報の媒体となる、タイプの異なるメモリーカードは、各々専用のコネクタを用意して情報機器に取付けられ、媒体の蓄積情報を取り出し、または蓄積していた。
本出願人は、基板の占有面積を大きくすることなく、複数のメモリーカードを装着可能なメモリカード用コネクタを既に、特願２０００−１６５９３２号（特開２００１−３５１７０９号）で提案している。ここで提案したメモリーカード用コネクタは、メモリーカードが複数挿入出来るようになっていることはいうまでもない。それぞれの場合に応じて、種々のカードが装着されるようになっている。
【０００３】
【発明が解決しようとする課題】
上述のような構造のメモリーカード用コネクタでは、カード挿入側のコンタクトにはいずれかのカードが挿入されていると常に負荷が掛かった状態になり、過負荷の状態になると塑性変形してしまうことがあり、接触子としての役割が果たせなくなり、しいては接触不良になると言った課題があった。
また、奥側にあるコンタクトと接触するカードが挿入される場合には、カード挿入側のコンタクトを保護するようなスライダーを用いることも考えられた。スライダーを用いる場合は、カード挿入側のコンタクトと接触するカードが挿入される際にスライダーが移動するような機構を持たせる必要があると同時に、奥側のコンタクトと接触するカードが挿入される際にはカードイジェクト機能の関係からスライダーが移動するような機構を持たせる必要がある。
【０００４】
本発明は、スライダーを用いて、奥側のコンタクトと接触するカードが挿入される場合はカード挿入側のコンタクトを確実に保護でき、いずれか一方のカードが挿入されるとスライダーが容易に移動できる機構を有するメモリーカード用コネクタを提供することを目的としている。
【０００５】
【課題を解決するための手段】
上記目的は、２種類のカードが着脱自在に挿入されるメモリーカード用コネクタ１０であって、自由端両側に２種類の前記カード７０、７２と接触する接触部４８、５０を有するとともにほぼ中央部付近に係合部４６を有する板状片２０と、２種類の前記カード７０、７２が挿入される嵌合口３０を有すると共に２種類の第１及び第２コンタクト１４、１６が前記カード７０、７２が挿入される前には負荷が掛かることがない状態に配置されるコンタクト挿入部を有し、前記板状片２０の係合部４６と係合する係止部３２を設けたハウジング１２と、このハウジング１２に保持・固定されると共にカード７０、７２との接触部とハウジング１２に固定される固定部と基板に接続する接続部とを備える２種類の第１及び第２コンタクト１４、１６と、カード挿入方向側に配置される前記第２コンタクト１６の接触部を保護する櫛歯状のガイド溝６０を有し、幅方向の一方側に前記板状片２０が装着される装着部５８を有するとともに板状片２０の係合部４６が入る逃げ溝５６を設けたスライダー１８とを備え、前記板状片には自由端両側の接触部Ａ・Ｂ４８、５０近傍に受け部Ａ・Ｂ５２、５４を設け、前記スライダー１８には前記受け部Ａ・Ｂ５２、５４を押圧する押圧部Ａ・Ｂ３４、３６を設け、一方のカードが挿入されると前記板状片２０のどちらか一方の接触部に接触し、前記カードが前記板状片２０の接触部に接触すると、前記板状片２０の受け部Ａ・Ｂ５２、５４を支点にして、板状片２０の係合部４６が前記接触部の押圧方向と反対方向へ変位することにより前記ハウジング１２の係止部３２から外れ、前記スライダー１８が前記ハウジング１２の底板２８上を移動可能に装着されることにより達成できる。
【０００６】
前記板状片２０には自由端両側の接触部Ａ・Ｂ４８、５０近傍に受け部Ａ・Ｂ５２、５４を設け、前記スライダー１８には前記受け部Ａ・Ｂ５２、５４を押圧する押圧部Ａ・Ｂ３４、３６を設ける。このようにすることで、前記受け部Ａ・Ｂ５２、５４を支点にすることができる。
また、一方のカードが挿入されると前記板状片２０のどちらか一方の接触部に接触し、板状片２０の係合部４６が前記ハウジング１２の係止部３２から外れ、前記スライダー１８が前記ハウジング１２の底板２８上を移動可能に装着されるようにする。
前記板状片２０の各接触部４８、５０は、カードの種類の厚さ及び幅寸法に応じて接触位置をずらすようにする。このようにすることで、カードの種類によって、スライダー１８の移動する段階を変えることができる。
またさらに、カード７０、７２が前記板状片２０の接触部Ａ・Ｂ４８、５０に接触すると、前記板状片２０の受け部Ａ・Ｂ５２、５４を支点にして、前記係合部４６が前記ハウジング１２の係止部３２から外れるようにする。
【０００７】
【作用】
図３のように、一方のカード７０が前記板状片２０の接触部Ａ４８に接触すると前記接触部Ａ４８は矢印「イ」方向に押し下げられ（図１のＹ方向と反対側）、受け部Ａ５２を支点にして係合部４６が矢印「ハ」方向に（前記接触部Ａ４８と反対側（図１のＹ方向側））に押し上げられ、前記係合部４６は前記ハウジング１２の係止部３２から外れ、ＳＤカード７０の先端で櫛歯状のガイド溝６０が設けられた先端を押すことで前記スライダー１８は前記ハウジング１２の底板２８上を移動する。
図３のように、他方のカード７２が前記板状片２０の接触部Ｂ５０に接触すると前記接触部Ｂ５０は矢印「ロ」方向に押し下げられ（図１のＹ方向と反対側）、受け部Ｂ５４を支点にして係合部４６が矢印「ハ」方向（前記接触部Ｂ５０と反対側（図１のＹ方向側））に押し上げられ、前記係合部４６は前記ハウジング１２の係止部３２から外れ、ＭＳカード７２の先端で前記スライダー１８の押受部４４を押すことで前記スライダー１８は前記ハウジング１２の底板２８上を移動する。
【０００８】
【発明の実施の形態】
図に基づいて本発明のメモリカード用コネクタについて説明する。
図１はシェルを外した状態の本発明であるメモリカード用コネクタの斜視図であり、図２は本発明のメモリカード用コネクタの板状片とスライダーの斜視図である。図３はてこの原理による板状片の動きを説明する図面である。図４（Ａ）はＳＤカードの斜視図であり、（Ｂ）はメモリーステック（ＭＳカード）の斜視図である。
本発明のメモリーカード用コネクタ１０は、主に２種類のコンタクト１４、１６とハウジング１２とスライダー１８と板状片２０とシェルとを備えている。このメモリーカード用コネクタ１０は異なる２種類のカード７０、７２が挿入できる構造になっている。例えば、図４（Ａ）のＳＤカード７０と図４（Ｂ）のＭＳカード７２が挿入できるようになっている。
【０００９】
図１から図４に基づいて、一実施例について説明する。以下、構成部品ごとに説明する。
まず、本発明のポイント部分である板状片２０について説明する。この板状片２０は金属製であり、公知技術のプレス加工により製作され、バネ性等が要求されるのでベリリウム銅やリン青銅やステンレス鋼（弾性のある）が使用されることが多い。
前記板状片２０は略「く」字形状をしており、自由端両側にはカード側面と接触する湾曲した接触部Ａ４８及び接触部Ｂ５０が設けられ、ほぼ中央部には「コ」字に突出した係合部４６が設けられている。また、前記板状片２０には自由端両側の接触部近傍に受け部Ａ５２と受け部Ｂ５４が設けられている。それぞれの受け部Ａ５２・Ｂ５４はカードが挿入され、接触部Ａ４８・Ｂ５０に接触した際に支点の役割を果たす部分である。前記係合部４６は前記ハウジング１２の係止部３２と係合する部分であり、係合したり外れたりすることで、スライダー１８が移動したり固定したりするものである。
【００１０】
前記接触部Ａ４８及び前記接触部Ｂ５０の位置関係は、前記板状片２０を前記スライダー１８に装着した際に、ＳＤカード７０とＭＳカード７２の幅及び厚み寸法を考慮してカードが挿入された時に一方のカードと接触するように適宜設計している。本実施例では、ＳＤカード７０が挿入された時には前記接触部Ａ４８と接触するように、ＭＳカード７２が挿入された時には前記接触部Ｂ５０と接触するようになっている。即ち、ＳＤカード７０はＭＳカード７２より幅が広いため前記接触部Ａ４８は接触部Ｂ５０より外側にあり、ＭＳカード７２はＳＤカード７０より厚みが厚いため前記接触部Ｂ５０は接触部Ａ４８より高くなっている。前記係合部４６及び前記受け部Ａ５２・Ｂ５４の位置関係はそれぞれのカードが挿入されていない時は前記ハウジング１２の係止部３２に係合しており、一方のカードが挿入された時には前記接触部Ａ４８・Ｂ５０のいずれかに接触し、前記受け部Ａ５２・Ｂ５４が支点になり係合部４６が係止部３２から外れるように適宜設計している。前記係合部４６の大きさはそれぞれのカードが挿入されていない時は前記ハウジング１２の係止部３２に確実に係合するように設計されている。その為、本実施例では、曲げ加工によって「コ」字形状に突出させたが、パンチ加工によって部分的に突出させたものでもよい。
【００１１】
次に、本発明のもう一つのポイント部分であるスライダー１８について説明する。
このスライダー１８は、電気絶縁性のプラスチックで、公知技術の射出成形で製作される。このスライダー１８の材質としては、寸法安定性や強度や低コストが要求されるので、ポリブチレンテレフタレート（ＰＢＴ）・ポリアミド（ＰＡ）・ポリカーボネイト（ＰＣ）・液晶ポリマー（ＬＣＰ）・ポリフェニレンサルファイド（ＰＰＳ）等が使用されることが多い。
前記スライダー１８は、略平板状をしており、幅方向一方側には前記板状片２０が装着される装着部５８が設けられ、他方側にはカードをイジェクトするイジェット機構部６８が設けられている。また、カード挿入方向側には前記第２コンタクト１６の接触部を保護する櫛歯状のコンタクトガイド溝６０が設けられている。このガイド溝６０はＭＳカード７２が挿入された際に前記第２コンタクト１６の接触部を保護するものであって、ＭＳカード７２の側面が前記板状片２０の接触部Ｂ５０に接触するまではＭＳカード７２がスライダー上を移動するようになっている。その為、前記ガイド溝６０側のスライダー１８先端には、ＭＳカード７２がスライダー１８上に上がり易くする為に、Ｃ面取りやＲ形状やテーパなどといった誘い部６２が設けられている。
櫛歯形状と反対側には、ＭＳカード７２の先端と接する押受部４４が設けられ、この押受部４４をＭＳカード７２が押すことによってスライダー１８がハウジング１２の底板２８上を移動する。
【００１２】
前記装着部５８は前記板状片２０に沿った形状をしており、圧入やカシメなどによって固定されている。前記板状片２０の係合部４６に対応した位置には逃げ溝５６が設けられ、受け部Ａ５２・Ｂ５４に対応した位置には押圧部Ａ３４・Ｂ３６が設けられている。前記押圧部Ａ３４・Ｂ３６が設けられた部分の装着部５８は、前記板状片２０の受け部Ａ５２・Ｂ５４の支点という役割を考え、板状片２０と殆どクリアランスがない状態になっている。つまり、前記スライダー１８の押圧部Ａ３４・Ｂ３６と外側の壁で、前記板状片２０の受け部Ａ５２・Ｂ５４を挟み込むことで前記受け部Ａ５２・Ｂ５４を支点にして、図３（段落番号０００７の作用で説明した）のような変位が可能なようなクリアランスにしている。この場合のクリアランスは、図３（段落番号０００７の作用で説明した）のような変位が可能なように適宜設計している。前記板状片２０の接触部Ａ４８・Ｂ５０が挿入される装着部５８は各接触部が変位することを考慮してクリアランスを設けるように適宜設計されており、また、受け部Ａ５２・Ｂ５４以外の他の部分も「てこの原理」で変位することを考慮してクリアランスを設けるように適宜設計されている。前記逃げ溝５６の大きさは前記板状片２０の係合部４６が変位する際に接しなければよく、スライダー１８の強度や係合部４６の変位量を考慮して設計する。
【００１３】
板状片２０の装着部５８が設けられた側と反対側には、それぞれのカードをイジェクトするための略Ｌ字形状をしたイジェクト機構部６８が設けられている。カード挿入側のイジェクト機構部６８にはハート溝６４が設けられており、反対側には弾性体逃げ溝６６が設けられ、該逃げ溝内６６には弾性体４０が挿入される保持孔が設けられている。このイジェクト機構部６８としては、ある一定量以上押し込むとカードが押し出されるようになっている、所謂ハートカムを用いている。このハートカム機構については、本出願人は特願２００１ー２３５１１３号で提案している。前記ハート溝６４には略Ｌ字形状をした金属ピンが挿入され、金属ピンのもう一方端はハウジング１２に固定されている。
前記スライダー１８の幅寸法は、前記ハウジング１２の側壁２４の内側寸法より０．０５〜０．１ｍｍ程度小さくし、スライダー１８が傾くことなく移動できるように設計している。
【００１４】
前記板状片２０が前記スライダー１８に装着された際の前記接触部Ａ４８・Ｂ５０の位置関係について説明すると、前記接触部Ａ４８はスライダー１８の櫛歯状の先端よりカード挿入方向側に突出するように装着され、前記接触部Ｂ５０は前記スライダー１８の押受部４４よりカード挿入方向側になるように装着されている。前記接触部Ａ４８・Ｂ５０がこのような位置関係になるように、前記板状片２０をスライダー１８に装着することにより、板状片２０の係合部４６がハウジング１２の係止部３２から外れてから、それぞれのカードの先端でスライダー１８の櫛歯状先端部若しくは押受部４４を押すことになり、前記スライダー１８がハウジング１２の底板２８上を移動することになる。
【００１５】
次に、ハウジング１２について説明する。
このハウジング１２は、電気絶縁性のプラスチックで、公知技術の射出成形で製作される。このハウジング１２の材質としては、寸法安定性や強度や低コストが要求されるので、ポリブチレンテレフタレート（ＰＢＴ）・ポリアミド（ＰＡ）・ポリカーボネイト（ＰＣ）等が使用されることが多い。
該ハウジング１２は略「コ」字形状をし、本体部２２と２つの側壁２４と底板２８とを備えており、これらでカードが挿入される嵌合口３０を形成している。２つの側壁２４にはカード挿入をガイドするガイド部２６が設けられ、一方の側壁２４には前記板状片２０の係合部４６に係合でき、ＭＳカード７２が挿入された時に前記スライダー１８の櫛歯状のガイド溝６０で第２コンタクト１６を保護できる位置に係止部３２が設けられている。前記本体部２２にはＭＳカード７２と接続する第２コンタクト１６が挿入されるコンタクト挿入部を有し、係止部３２が設けられた側と反対側の側壁２４近傍には弾性体４０を固定するピン４２が設けられている。前記底板２８には、カード挿入側にＳＤカード７０の挿入が完了した時で、かつ、ＳＤカード７０の接触部に対応した位置にＳＤカード７０と接続する第１コンタクト１４が挿入されるコンタクト挿入部を有している。
【００１６】
次に、２種類の第１及び第２コンタクト１４、１６について説明する。
それぞれのコンタクト１４、１６とも金属製であり、公知技術のプレス加工により製作され、バネ性や導電性等が要求されるので黄銅やベリリウム銅やリン青銅が使用されることが多い。それぞれのコンタクト１４、１６は、主にカードと接触する接触部とハウジング１２に固定される固定部と基板に接続する接続部とから構成されている。第１コンタクト１４がＭＳカード７２と接続されるもので、第２コンタクト１６がＳＤカード７０と接続されるものである。２種類の第１及び第２コンタクト１４、１６は、カード挿入方向とほぼ直角でかつ対向して配置される。第１・第２コンタクト１４、１６は、圧入や引っ掛け等によって、前記ハウジング１２に固定されている。
【００１７】
最後に、金属シェルについて説明する。
該金属シェルは、金属製であり、公知技術のプレス加工によって作成され、材質としては黄銅やリン青銅やベリリウム銅やステンレス鋼等を使用することが多い。前記金属シェルは前記ハウジングの底板の反対側に、接着等によって固定されている。前記金属シェルを用いることで、コネクタに遮蔽効果を持たせている。
【００１８】
一般的に、メモリーカード用コネクタ１０を基板に接続する際にカードの挿入時のコジリ等に対応するために、タブ３８等の固定金具が用いられることが多い。この固定金具も金属製であり、公知技術のプレス加工によって作成されている。該固定金具は、コンタクトやスイッチ端子と一緒に基板にリフロー等により接続される。
【００１９】
【発明の効果】
本発明は、上述の構造をとることで、以下のような顕著な効果を得ることができる。
（１）２種類の前記カード７０、７２が挿入される嵌合口３０を有すると共に２種類の第１及び第２コンタクト１４、１６が前記カード７０、７２が挿入される前には負荷が掛かることがない状態にカード挿入方向とほぼ直角でかつ対向して配置されるコンタクト挿入部を有し、板状片２０の係合部４６と係合する係止部３２を設けたハウジング１２と、このハウジング１２に保持・固定されると共にカードとの接触部とハウジング１２に固定される固定部と基板に接続する接続部とを備える２種類の第１及び第２コンタクト１４、１６と、カード挿入方向側に前記第２コンタクト１６の接触部を保護する櫛歯状のガイド溝６０を有し、幅方向の一方側に板状片２０を装着する装着部５８を有するとともに板状片２０の係合部４６が入る逃げ溝５６を設けたスライダー１８と、自由端両側に２種類のカードと接触する接触部４８、５０を有するとともにほぼ中央部付近に係合部４６を有する板状片２０とを備え、前記板状片には自由端両側の接触部Ａ・Ｂ４８、５０近傍に受け部Ａ・Ｂ５２、５４を設け、前記スライダー１８には前記受け部Ａ・Ｂ５２、５４を押圧する押圧部Ａ・Ｂ３４、３６を設け、一方のカードが挿入されると前記板状片２０のどちらか一方の接触部に接触し、前記カードが前記板状片２０の接触部に接触すると、前記板状片２０の受け部Ａ・Ｂ５２、５４を支点にして、板状片２０の係合部４６が前記接触部の押圧方向と反対方向へ変位することにより前記ハウジング１２の係止部３２から外れ、前記スライダー１８が前記ハウジング１２の底板２８上を移動可能に装着されいるので、ＭＳカード７２を挿入した際に第２コンタクト１６を確実に保護することができるとともに第２コンタクト１６の塑性変形や座屈等が無くなり接続不良等が無くなった。
（２）前記板状片２０が前記スライダー１８に装着された際の前記接触部Ａ４８・Ｂ５０の位置関係は、前記接触部Ａ４８はスライダー１８の櫛歯状の先端よりカード挿入方向側に突出するように装着され、前記接触部Ｂ５０は前記スライダー１８の押受部４４よりカード挿入方向側になるように装着されているので、板状片２０の係合部４６がハウジング１２の係止部３２から外れてから、それぞれのカードの先端でスライダー１８の櫛歯状先端部若しくは押受部４４を押すことになり、容易に前記スライダー１８がハウジング１２の底板２８上を移動することができるようになる。
（３）前記板状片２０には自由端両側の接触部近傍に受け部５２，５４を設け、前記スライダー１８には前記受け部５２、５４を押圧する押圧部３４、３６を設けているので、「てこの原理」により容易に前記板状片２０の係合部４６を前記ハウジング１２の係止部３２から外すことができる。
【図面の簡単な説明】
【図１】金属シェルを取り外した状態の本発明であるメモリカード用コネクタの斜視図である。
【図２】本発明のメモリカード用コネクタに使用する板状片とスライダーの斜視図である。
【図３】てこの原理による板状片の動きを説明する図面である。
【図４】（Ａ）ＳＤカードの斜視図である。
（Ｂ）メモリステック（ＭＳカード）の斜視図である。
【符号の説明】
１０     メモリーカード用コネクタ
１２     ハウジング
１４     第１コンタクト
１６     第２コンタクト
１８     スライダー
２０     板状片
２２     本体部
２４     側壁
２６     ガイド部
２８     底板
３０     嵌合口
３２     係止部
３４     押圧部Ａ
３６     押圧部Ｂ
３８     タブ
４０     弾性体
４２     ピン
４４     押受部
４６     係合部
４８     接触部Ａ
５０     接触部Ｂ
５２     受け部Ａ
５４     受け部Ｂ
５６     逃げ溝
５８     装着部
６０     コンタクトガイド溝
６２     誘い部
６４     ハート溝
６６     弾性体逃げ溝
６８     イジェクト機構部
７０     ＳＤカード
７２     ＭＳカード
【図１】
0004044775.tif 000002
【図２】
0004044775.tif 000003
【図３】
0004044775.tif 000004
【図４】
0004044775.tif 000005